(57)【特許請求の範囲】
【請求項１】
複数の取付部品が取り付けられる筐体を有する電子機器において、
上記筐体に対して第１の方向にスライド移動可能な中間部品と、
上記筐体に対して上記第１の方向に押し付けられながら取り付けられる第１取付部品と、
上記筐体に対して上記第１の方向と異なる第２の方向に取り付けられる第２取付部品とを備えており、
上記第１取付部品、上記中間部品及び上記第２取付部品を上記筐体に取り付けた状態で、該第１取付部品と該第２取付部品との間に上記中間部品が介在する
ことを特徴とする電子機器。
【請求項２】
請求項１に記載の電子機器において、
上記第１取付部品及び上記第２取付部品の少なくとも一方は、アンテナエレメントを含み、上記中間部品は、絶縁体よりなり、
上記アンテナエレメントが上記筐体の内部のアンテナ基板に電気的に接続されている
ことを特徴とする電子機器。
【請求項３】
請求項１又は２に記載の電子機器において、
上記筐体は、上記第１の方向に延び、上記中間部品の被係合部がスライド移動可能且つ抜け止めされた状態で挿入されるレール部を有し、
上記中間部品は、
上記第１取付部品の第１係合部と係合される第１被係合部と、
上記筐体に形成した抜け止め部に抜け止めされる第２被係合部と、
上記第１取付部品、上記中間部品及び上記第２取付部品を上記筐体に取り付けた状態で上記第１取付部品と上記第２取付部品との間を仕切ると共に、外部に露出する露出部とを備えている
ことを特徴とする電子機器。
【請求項４】
請求項１又は２に記載の電子機器において、
上記第１取付部品は、上記中間部品に係合する第１係合部を有すると共に、上記第２取付部品は、上記中間部品又は上記筐体に係合する第２係合部を有する
ことを特徴とする電子機器。
【請求項５】
請求項１から４までのいずれか１つに記載の電子機器において、
上記第１取付部品は、上記第１の方向に延び、上記筐体の内部に挿入される第１挿入部を有し、該第１挿入部の周縁に貼り付ける両面テープにより上記筐体に接着され、
上記第２取付部品は、上記第２の方向に延び、上記筐体の内部に挿入される第２挿入部を有し、該第２挿入部の周縁に貼り付ける両面テープにより上記筐体に接着されている
ことを特徴とする電子機器。
【発明の詳細な説明】
【技術分野】
【０００１】
本発明は、複数の取付部品が取り付けられる筐体を有する電子機器に関し、特に複数の取付部品の間に中間部品が介在するものに関する。
【背景技術】
【０００２】
従来より、例えば特許文献１の携帯電話機のように、電池蓋に平板状部を包囲して、平板状部及び湾曲部よりも肉厚の小さな薄肉部が形成され、電池蓋の平板状部とケーシングの背面とが接着層によって互いに接着固定されるものが知られている。この携帯電話機では、電池蓋の薄肉部を変形させながら電池蓋を両面接着テープに押し付けることにより、ケーシングの背面と電池蓋の端面との間に隙間が生じないようにしている。
【先行技術文献】
【特許文献】
【０００３】
【特許文献１】特開２００１−６９２１０号公報
【発明の概要】
【発明が解決しようとする課題】
【０００４】
電子機器において、例えば、筐体に対して複数の部品を異なる方向から両面テープや接着剤にて接着し、且つ、これら複数の取付部品間に中間部品が必要となる場合がある。具体的には、複数の金属部品を貼り付けたいが、金属部品同士は導通させたくないような場合が想定される。
【０００５】
この場合、上記特許文献１のような構成は、取付部品が外観部品や小物部品等であって、薄肉部を設けられないときには適用できない。
【０００６】
また、薄肉部を設けることができたとしても、貼付後、変形した薄肉部が元に戻ろうとして常に接着部に剥がれ方向の力が作用し続けることになるため、接着剤の経時劣化や、高温環境下での接着力低下などにより剥がれを生じやすいという問題がある。
【０００７】
本発明は、かかる点に鑑みてなされたものであり、その目的とするところは、複数の取付部品を異なる方向から取り付け、その取付部品間に中間部品を設ける必要がある場合であっても、取付部品に剥がれ方向の力をかけることなく、取付部材間の隙間をなくすことができるようにすることにある。
【課題を解決するための手段】
【０００８】
上記の目的を達成するために、この発明では、第１取付部品、中間部品及び第２取付部品を筐体に取り付けた状態で、これらの第１取付部品と第２取付部品との間に一方にスライド移動可能な中間部品が介在するようにした。
【０００９】
具体的には、本発明では、複数の取付部品が取り付けられる筐体を有する電子機器を前提とし、この電子機器は、
上記筐体に対して第１の方向にスライド移動可能な中間部品と、
上記筐体に対して上記第１の方向に押し付けられながら取り付けられる第１取付部品と、
上記筐体に対して上記第１の方向と異なる第２の方向に取り付けられる第２取付部品とを備えており、
上記第１取付部品、上記中間部品及び上記第２取付部品を上記筐体に取り付けた状態で、該第１取付部品と該第２取付部品との間に上記中間部品が介在する構成とする。
【００１０】
上記の構成によると、第１取付部品を第１の方向に押さえ付けながら筐体に取り付けるときに、中間部品が第１の方向にスライドして弾性変形しないので、押付力を解除した後に第１取付部品が取付位置に戻るときに、中間部品が第１取付部品を引き剥がす方向に押し戻すことはない。次いで、第２取付部品を第１の方向とは異なる第２の方向に筐体に取り付けることにより、第１取付部品と第２取付部品との間に隙間を設けることなく、中間部品が介在した状態で取り付けることができる。
【発明の効果】
【００１１】
以上説明したように、本発明によれば、複数の取付部品を異なる方向から取り付けると共に、その取付部品間に中間部品が必要な場合であっても、接着部に剥がれ方向の力をかけることなく、取付部材間の隙間をなくすことができる。
【図面の簡単な説明】
【００１２】
【図１】図２のＩ−Ｉ線拡大断面図である。
【図２】スマートフォン及びその一部を拡大して示す斜視図である。
【図３】スマートフォンを示す分解斜視図である。
【図４】第１取付部品、中間部品、第２取付部品及びその周辺を拡大して示す分解斜視図である。
【図５】第１取付部品、中間部品、第２取付部品及びその周辺を別の方向から拡大して示す分解斜視図である。
【図６】その他の実施形態に係る図１相当図である。
【発明を実施するための形態】
【００１３】
以下、本発明の実施形態を図面に基づいて説明する。
【００１４】
（実施形態１）
図１〜図３は、本発明の実施形態１の電子機器としてのスマートフォン１を示し、このスマートフォン１は、例えば、正面側に液晶ディスプレイ、有機ＥＬディスプレイなどの表示部２が設けられる矩形板状の筐体３を備えている。筐体３は、例えば、樹脂成形品よりなり、背面側に板状の外観パネル４が貼り付けられている。筐体３の背面側と外観パネル４との間には、スマートフォン１の全体を制御するメイン基板５が設けられ、その下側にアンテナ基板６が接続されている。メイン基板５の背面は、もう１つのアンテナ基板としてのサブアンテナ組品７で覆われている。例えば、アンテナ基板６とメイン基板５との間に矩形板状の充電池８が収容されており、右側にサイドキー９が設けられている。
【００１５】
本実施形態では、例えば筐体３の左右側面及び下面に、溝状の取付凹部３ａが凹陥され、この取付凹部３ａに、第１取付部品としての下側装飾部材１２並びに第２取付部品としての左側装飾部材１０及び右側装飾部材１１が嵌め込まれるようになっている。
【００１６】
下側装飾部材１２は、第１の方向Ａ（本実施形態では上方向）に延び、筐体３に形成した貫通孔３ｂに挿入される第１挿入部１５を有し、この第１挿入部１５の周縁に貼り付ける、枠状の両面テープ１４により筐体３の貫通孔３ｂへの挿入時に接着される。左側装飾部材１０及び右側装飾部材１１は、第２の方向Ｂ（本実施形態では、左右方向内側）に延び、筐体３の内部に挿入される第２挿入部１６（図３にのみ示す）を有し、各第２挿入部１６の周縁に貼り付ける、枠状の両面テープ１４により貫通孔３ｂへの挿入時に筐体３に接着される。例えば、下側装飾部材１２、左側装飾部材１０及び右側装飾部材１１は、金属製部品よりなり、それぞれがアンテナエレメントの役割を果たしている。また下側装飾部材１２、左側装飾部材１０及び右側装飾部材１１を、樹脂成形品で構成し、その表面にアンテナエレメントを印刷してもよい。さらには、アンテナエレメントが印刷されていない樹脂成形品等でもよいし、アンテナの機能を発揮しない金属部材でもよい。下側装飾部材１２、左側装飾部材１０及び右側装飾部材１１は、筐体３の外周の一部（左右側面及び下面）を覆う飾り部品であり、飾り部品を適切に装飾することにより、見映えのよいスマートフォン１が得られる。
【００１７】
以下、第２取付部品として左側装飾部材１０を中心に述べるが、右側装飾部材１１が第２取付部品となる場合についても同様である。
【００１８】
本実施形態では、図２に一部拡大して示すように、下側装飾部材１２、中間部品１３及び左側装飾部材１０を筐体３に取り付けた状態で、これらの下側装飾部材１２と左側装飾部材１０との間に中間部品１３が介在している。中間部品１３は、筐体３に対して第１の方向Ａにスライド移動可能且つ抜け止めされている。具体的には、図５に示すように、筐体３は、第１の方向Ａに延びると共に、中間部品１３の下端に筐体３の厚さ方向に広がる一対の被係合部１３ａがスライド移動可能且つその垂直方向（左右方向外側）に抜け止めされた状態で挿入されるレール部３ｃを有する。レール部３ｃの手前側には、抜け止め部３ｄが筐体３の厚さ方向に一対のレール部３ｃを横渡しするように形成されている。筐体３が溶融樹脂材料を射出成型した成形品であれば、上下方向にスライドするスライド型にてレール部３ｃ及び抜け止め部３ｄを容易に形成できる。
【００１９】
一方、図４及び図５にも示すように、中間部品１３は、例えば、樹脂成形品などの絶縁部材よりなる。下側装飾部材１２の左右角部に設けた鉤状の第１係合部１２ａが係合される第１被係合部１３ｂが、一対の被係合部１３ａの間に凹陥されている。第１係合部１２ａが第１被係合部１３ｂと係合されることで、下側装飾部材１２の左右角部の筐体３からの浮き上がりが防止される。中間部品１３の上端には、抜け止め部３ｄに抜け止めされる第２被係合部１３ｃが突設されている。第２被係合部１３ｃが抜け止め部３ｄの左右方向内側と係合されることで抜け止めされている。また、下側装飾部材１２、中間部品１３及び左側装飾部材１０を筐体３に取り付けた状態で外部に露出する露出部１３ｄを備えている。この露出部１３ｄは、左側装飾部材１０及び下側装飾部材１２の表面と連続するように湾曲している。このように構成することで、簡単な構成で、中間部品１３が筐体３に対して第１の方向Ａにスライド移動且つ抜け止め可能に取り付けされるようになっている。図１に示すように、中間部品１３の露出部１３ｄの上面と抜け止め部３ｄの下面との間に隙間Ｘが確保されている。隙間Ｘは、例えば、両面テープ１４の厚さと同等以上とするとよい。
【００２０】
このように構成することで、下側装飾部材１２を第１の方向Ａに押さえ付けながら筐体３に取り付けるときに、中間部品１３が第１の方向Ａにスライドする。特に両面テープ１４が厚みを有するものであれば、両面テープ１４を押し付けながら、下側装飾部材１２を取付凹部３ａに貼り付ける必要があるが、そのときに図１に示すように、中間部品１３の露出部１３ｄの上面と抜け止め部３ｄの下面との間に隙間Ｘが確保されているので、貼付時に中間部品１３が上方に抵抗なく移動する。
【００２１】
押付力を解除すると、下側装飾部材１２は、第１の方向Ａと反対方向に働く両面テープ１４の復元力によって、設計上の取付位置へと押し戻される。このとき、中間部品１３が下側装飾部材１２を引き剥がす方向に押し戻すことはない。
【００２２】
次いで、左側装飾部材１０を第２の方向Ｂに押さえ付けながら筐体３に取り付ける。具体的には、左側装飾部材１０の第２係合部１０ａを抜け止め部３ｄと係合するように押し込み、最後に第２の方向Ｂに押し付けて両面テープ１４により、左側装飾部材１０を取付凹部３ａに確実に貼り付けることができる。このとき、中間部品１３との境界に隙間を生じさせないように、左側装飾部材１０と下側装飾部材１２とで中間部品１３を挟み込むことができる。右側装飾部材１１についても同様に取り付けることができる。
【００２３】
そして、下側装飾部材１２と左側装飾部材１０との間に、また上記と同様にして下側装飾部材１２と右側装飾部材１１との間にそれぞれ中間部品１３が介在した状態で筐体３の側面が装飾される。第２係合部１０ａが抜け止め部３ｄと係合しているので、左側装飾部材１０の下端部が筐体３から浮き上がることも防止される。
【００２４】
本実施形態では、下側装飾部材１２、右側装飾部材１１及び左側装飾部材１０は、アンテナエレメントを構成しており、絶縁体よりなる中間部品１３がそれぞれを互いに導通させないようにしている。このため、例えば、下側装飾部材１２と左側装飾部材１０及び下側装飾部材１２と右側装飾部材１１でそれぞれ異なるアンテナエレメントを設けることができる。
【００２５】
以上説明したように、本実施形態のスマートフォン１によれば、複数の取付部品１０，１１，１２を異なる方向から両面テープ１４にて接着し、その取付部品１０，１１，１２間に中間部品１３を設ける必要がある場合であっても、接着部に剥がれ方向の力をかけることなく、取付部品１０，１１，１２間の隙間をなくすことができる。
【００２６】
（実施形態２）
詳細は図示しないが、実施形態２では、下側装飾部材１２、右側装飾部材１１及び左側装飾部材１０が金属製であり、タッチセンサーとして機能する点で上記実施形態１と異なる。
【００２７】
すなわち、下側装飾部材１２、右側装飾部材１１及び左側装飾部材１０がアンテナ基板６に相当する基板に設けたタッチセンサーに電気的に接続されている。
【００２８】
そうすることで、下側装飾部材１２、右側装飾部材１１及び左側装飾部材１０のいずれかに触れることでスイッチをオン・オフ可能となっている。例えば、同時にいずれか２つの装飾部材を同時に触れることで、それぞれ単独で触れる場合と異なる機能を発揮させることもできる。
【００２９】
（実施形態３）
また、例えば下側装飾部材１２の第１挿入部１５をアンテナ基板６に電気的に接続し、右側装飾部材１１及び左側装飾部材１０の第２挿入部１６をサブアンテナ組品７に電気的に接続してもよい。
【００３０】
この接続には、筐体３に貫通孔３ｂを利用すればよく、下側装飾部材１２、右側装飾部材１１及び左側装飾部材１０をそれぞれ筐体３に対して押さえ付けながら確実に取り付けることができる。
【００３１】
このように、第１挿入部１５及び第２挿入部１６を利用して筐体３内部のアンテナ基板６又はサブアンテナ組品７とそれぞれ電気的に接続することで、アンテナエレメントとアンテナ基板６又はサブアンテナ組品７とが電気的に接続されると共に、確実に圧着された両面テープ１４により防水及び防塵効果が得られる。
【００３２】
（その他の実施形態）
本発明は、上記実施形態について、以下のような構成としてもよい。
【００３３】
すなわち、上記実施形態では、左側装飾部材１０、右側装飾部材１１及び下側装飾部材１２を筐体３に両面テープ１４にて貼り付けているが、接着剤で貼り付けてもよいし、場合によっては、ビス止めしてもよい。また、左側装飾部材１０及び右側装飾部材１１の一方がない、Ｌ字状の装飾部材であってもよい。
【００３４】
また、上記実施形態では、第１被係合部１３ｂは筐体厚さ方向の両側に側壁のある、断面コ字形状としたが、側壁が片側しかない断面Ｌ字形状や、図６に示すように、側壁のない突起（リブ状）であってもよい。
【００３５】
また、上記実施形態では、下側装飾部材１２の第１係合部１２ａが中間部品１３に設けた第１被係合部１３ｂに係合して抜け止めされるとしたが、第１被係合部１３ｂは筐体３に設けてもよい。
【００３６】
また、上記実施形態では、左側装飾部材１０の第２係合部１０ａを抜け止め部３ｄと係合させるとしたが、図６に示すように、中間部品１３に抜け止め部（第２被係合部１３ｃが兼ねる）を設け、これと係合させてもよい。また、第２係合部１０ａは、なくてもよい。この場合、両面テープ１４で左側装飾部材１０の下端に近い位置も接着するのが好ましい。
【００３７】
上記実施形態では、電子機器は、スマートフォン１としたが、タブレット端末、ＰＨＳ（Personal Handy-phone System ）、ＰＤＡ(Personal Digital Assistant)、パソコン、モバイルツール、ウェアラブル端末、電子辞書、電卓、ゲーム機等であってもよく、小型の液晶ディスプレイ、液晶テレビ、ブルーレイディスクレコーダ、ＤＶＤレコーダ等であってもよい。
【００３８】
なお、以上の実施形態は、本質的に好ましい例示であって、本発明、その適用物や用途の範囲を制限することを意図するものではない。また、各実施形態に記載された技術的特徴は、互いに組合せ可能であり、組み合わせることにより、新しい技術的特徴を形成することができる。
【符号の説明】
【００３９】
１      スマートフォン（電子機器）
２      表示部
３      筐体
３ａ    取付凹部
３ｂ    貫通孔
３ｃ    レール部
３ｄ    抜け止め部
４      外観パネル
５      メイン基板
６      アンテナ基板
７      サブアンテナ組品（アンテナ基板）
８      充電池
９      サイドキー
１０      左側装飾部材
１０ａ    第２係合部
１１      右側装飾部材
１２      下側装飾部材
１２ａ    第１係合部
１３      中間部品
１３ａ    被係合部
１３ｂ    第１被係合部
１３ｃ    第２被係合部
１３ｄ    露出部
１４      両面テープ
１５      第１挿入部
１６      第２挿入部
【図１】
0006491028.tif 000002
【図２】
0006491028.tif 000003
【図３】
0006491028.tif 000004
【図４】
0006491028.tif 000005
【図５】
0006491028.tif 000006
【図６】
0006491028.tif 000007